(57)【要約】【課題】受信機では、この受信情報をそのまま、例えばメモリカードに格納すると、そのメモリカードをデジタルスチルカメラ或いはＰＣで読み取れなくなる。【解決手段】カラー画像情報を通信可能なファクシミリ装置において、送信機から送信された色空間ｓＹＣＣのＪＰＥＧ符号情報のＹパラメータでライン数が通知されていない時は、そのＪＰＥＧ符号情報を受信して格納し（Ｓ２１）、その格納されたＪＰＥＧ符号情報のＤＮＬマーカを削除してメモリカードに格納する（Ｓ２３）。【選択図】  図５
2004266515.tif 000002
【特許請求の範囲】
【請求項１】
カラー画像情報を通信可能なファクシミリ装置であって、
色空間ＬａｂでのＪＰＥＧ符号情報の受信機能の有無を通知する手段と、
色空間Ｌａｂでのフルカラー画像情報の受信機能の有無を通知する手段と、
色空間ｓＹＣＣのＪＰＥＧ符号情報の受信機能の有無を通知する手段と、
メモリカードを装着するカード装着手段と、
送信機から送信される色空間ｓＹＣＣのＪＰＥＧ符号情報を受信して格納する格納手段と、
前記格納手段に格納された前記ＪＰＥＧ符号情報のＤＮＬマーカを削除して前記メモリカードに格納するように制御する制御手段と、
を有することを特徴とするファクシミリ装置。
【請求項２】
前記制御手段は、更に前記ＤＮＬマーカに含まれている情報をＪＰＥＧヘッダのＹパラメータに格納することを特徴とする請求項１に記載のファクシミリ装置。
【請求項３】
カラー画像情報を通信可能なファクシミリ装置における制御方法であって、
色空間ＬａｂでのＪＰＥＧ符号情報の受信機能の有無を通知する工程と、
色空間Ｌａｂでのフルカラー画像情報の受信機能の有無を通知する工程と、
色空間ｓＹＣＣのＪＰＥＧ符号情報の受信機能の有無を通知する工程と、
送信機から送信される色空間ｓＹＣＣのＪＰＥＧ符号情報を受信してメモリに格納する格納工程と、
前記メモリに格納された前記ＪＰＥＧ符号情報のＤＮＬマーカを削除して前記メモリカードに格納するように制御する制御工程と、
を有することを特徴とする制御方法。
【請求項４】
前記制御工程では、更に前記ＤＮＬマーカに含まれている情報をＪＰＥＧヘッダのＹパラメータに格納することを特徴とする請求項３に記載の制御方法。
【発明の詳細な説明】
【０００１】
【発明の属する技術分野】
本発明は、カラー画像情報を送受信する技術に関するものである。
【０００２】
【従来の技術】
従来のファクシミリ装置は、モノクロ通信を実行するファクシミリ装置が主流であった。しかしながら最近は、インクジェットプリンタ、デジタルカメラ、及び、パソコンの普及に伴い、カラー画像情報を扱う機会が急増してきた。このような状況の下で、カラー画像情報の通信に対するニーズが急速に高まってきている。カラー画像の送受信に関する現在のＩＴＵ−Ｔの勧告について説明する。カラー画像情報の送信は、ＩＴＵ−Ｔ勧告Ｔ．８２で規定されているＪＰＥＧ符号で、ＩＴＵ−Ｔ勧告Ｔ．４２の色空間Ｌａｂでフルカラー画像情報の送信を実行していた。
【０００３】
【発明が解決しようとする課題】
従来のカラーファクシミリ情報の色空間はＬａｂであるが、例えばデジタルカメラで撮影したカラー画像情報の色空間はｓＹＣＣである。また、パソコン（ＰＣ）によりカラー画像情報を表示する場合の色空間はｓＹＣＣである。
【０００４】
このため、色空間ｓＹＣＣのＪＰＥＧフルカラーを送信する場合を考えると、カラー原稿情報の送信でなくデジタルカメラで撮影してメモリカードに格納されているファイル情報を送信する場合が多い。この場合は、１ページ分のカラー画像情報をメモリカードに格納した後に送信するので副走査方向のライン数も事前に判っている。このため、従来の色空間Ｌａｂでのカラー原稿情報の送信の場合とは異なり、副走査方向のライン数を事前に通知する場合が多くなることが予想される。一方、カラー原稿情報をｓＹＣＣで送信する場合、特に、ダイレクト送信をする場合は、送信機は副走査方向のライン数をＤＮＬマーカにて通知する。この情報を受信した受信機では、この受信情報をそのまま、例えばメモリカードに格納すると、そのメモリカードをデジタルスチルカメラ或いはＰＣで読み取ろうとすると、そのＤＮＬマーカが解釈できないため、そのメモリカードの内容を表示できなくなる虞がある。
【０００５】
本発明は上記従来例に鑑みてなされたもので、色空間ｓＹＣＣのＪＰＥＧフルカラー画像情報を受信してメモリカードに格納し、そのメモリカードを例えばＰＣやデジタルカメラで読み取って表示できるようにしたファクシミリ装置及び前記装置における制御方法を提供することを目的とする。
【０００６】
【課題を解決するための手段】
上記目的を達成するために本発明のファクシミリ装置は以下のような構成を備える。即ち、
カラー画像情報を通信可能なファクシミリ装置であって、
色空間ＬａｂでのＪＰＥＧ符号情報の受信機能の有無を通知する手段と、
色空間Ｌａｂでのフルカラー画像情報の受信機能の有無を通知する手段と、
色空間ｓＹＣＣのＪＰＥＧ符号情報の受信機能の有無を通知する手段と、
メモリカードを装着するカード装着手段と、
送信機から送信される色空間ｓＹＣＣのＪＰＥＧ符号情報を受信して格納する格納手段と、
前記格納手段に格納された前記ＪＰＥＧ符号情報のＤＮＬマーカを削除して前記メモリカードに格納するように制御する制御手段と、を有することを特徴とする。
【０００７】
上記目的を達成するために本発明のファクシミリ装置における制御方法は以下のような工程を備える。即ち、
カラー画像情報を通信可能なファクシミリ装置における制御方法であって、
色空間ＬａｂでのＪＰＥＧ符号情報の受信機能の有無を通知する工程と、
色空間Ｌａｂでのフルカラー画像情報の受信機能の有無を通知する工程と、
色空間ｓＹＣＣのＪＰＥＧ符号情報の受信機能の有無を通知する工程と、
送信機から送信される色空間ｓＹＣＣのＪＰＥＧ符号情報を受信してメモリに格納する格納工程と、
前記メモリに格納された前記ＪＰＥＧ符号情報のＤＮＬマーカを削除して前記メモリカードに格納するように制御する制御工程と、を有することを特徴とする。
【０００８】
【発明の実施の形態】
以下、添付図面を参照して本発明の好適な実施の形態を詳細に説明する。
【０００９】
図１は、本発明の実施の形態に係るファクシミリ装置の構成を示すブロック図である。
【００１０】
図において、２はＮＣＵ（網制御装置）で、電話回線２ａをデータ通信等に使用するために電話回線２ａを介して他の端末に接続したり、電話交換網の接続制御を行う。また、このＮＣＵ２は、データ通信路への切り換えを行ったり、ループの保持を行う。更にＮＣＵ２は、ＣＰＵ２２によりバス２６を介して制御されることにより、電話回線２ａを電話機４側に接続（ＣＭＬオフ）したり、電話回線２ａを信号線２ｃを介してファクシミリ装置（ハイブリット回路６）側に接続（ＣＭＬオン）する。尚、通常状態では、電話回線２ａは電話機４側（２ｂ）に接続されている。６はハイブリッド回路で、送信系の信号と受信系の信号とを分離し、加算回路１２からの送信信号１２ａを信号線２ｃ、ＮＣＵ２経由で電話回線２ａに送出する。また相手側からの信号をＮＣＵ２を経由して受け取り、信号線６ａ経由で変復調器８に送る。８は変復調器（モデム）で、ＩＴＵ−Ｔ勧告Ｖ．８，Ｖ．２１，Ｖ．２７ｔｅｒ，Ｖ．２９，Ｖ．１７，Ｖ．３４に基づいた変調及び復調を行うことができる。尚、この変復調器８における伝送モードの指示は、バス２６を介してＣＰＵ２２の制御により行われる。この変復調器８は、バス２６を介して送信信号を入力し、その変調データを信号線８ａを介して加算回路１２に出力して送信する。一方、信号線６ａを介して入力される受信信号を復調してバス２６に出力する。１０は発呼回路で、バス２６を介して電話番号情報を入力し、信号線１０ａにＤＴＭＦの選択信号を出力する。１２は加算回路で、信号線８ａの情報と信号線１０ａの情報とを入力し、それらを加算した結果を信号線１２ａに出力する。
【００１１】
１４はカラー画像を読み取り可能な読取回路で、読み取ったカラー画像データをバス２６に出力する。１６はカラー画像の記録が可能な記録回路で、バス２６を介して記録情報を入力し、その記録情報に従って順次１ライン毎に記録する。１８はメモリ（ＲＡＭ）で、ワーク用のメモリ（ＲＡＭ）、更に、読み取り回路１４で読み取った画像データの生情報、或いは、その画像情報を符号した情報を格納したり、また、電話回線２ａを介して受信した受信情報、及びそれを復号した情報等を、バス２６を介して入力して格納している。２０は操作部で、ワンタッチダイヤル、短縮ダイヤル、テンキー、＊キー、＃キー、スタートキー、ストップキー、セットキー、カラー情報の読み取りを選択する選択キー、ファイル情報の送信を選択するキー、受信したファイル情報をメモリカード３０へ転送する選択キー、後述する各種モードを設定するためのキーやその他のファンクションキーを備えており、この操作部２０で操作されたキー情報はバス２６を介して出力される。またこの操作部２０には表示部が設けられており、この表示部には、バス２６を介して入力される情報が表示される。２２はＣＰＵ（中央処理装置）で、この実施の形態に係るファクシミリ装置全体の動作を制御をしたり、ファクシミリの伝送制御手順を実行している。尚、このＣＰＵ２２の制御プログラムはＲＯＭ２４に格納されている。２８はカードインターフェース部で、メモリカード３０（例えば、デジタルカメラで撮影した情報が記憶されているメモリカード）がセットされる。
【００１２】
図２は本発明の実施の形態に係る、カラー画像の送受信関連のビット情報、及び新規にＩＴＵ−Ｔ勧告Ｔ．３０に追加する情報を説明する図である。
（１）ＤＩＳ／ＤＴＣ信号のＦＩＦのビット６８により、色空間ＬａｂでのＪＰＥＧ符号の受信機能の有無を通知する。またＤＣＳ信号のＦＩＦのビット６８により、色空間ＬａｂでのＪＰＥＧ符号の送信を指定する。
（２）ＤＩＳ／ＤＴＣ信号のＦＩＦのビット６９により、色空間がＬａｂであるフルカラー画像情報の受信機能の有無を通知する。またＤＣＳ信号のＦＩＦのビット６９により、色空間Ｌａｂでのフルカラー画像情報の送信を指定する。
（３）ＤＩＳ／ＤＴＣ信号のＦＩＦのビットＸにより、色空間ｓＹＣＣでのＪＰＥＧ符号の受信機能の有無を通知する。また、ＤＣＳ信号のＦＩＦのビットＸにより、色空間ｓＹＣＣでのＪＰＥＧ符号での送信を指定する。
【００１３】
以上の構成を備える本実施の形態に係るカラー画像情報を通信可能なファクシミリ装置では、前手順にて、受信機から送信機に対して、色空間ＬａｂでのＪＰＥＧ符号情報の受信機能の有無、色空間Ｌａｂでのフルカラー画像情報の受信機能の有無、色空間ｓＹＣＣでのＪＰＥＧ符号情報の受信機能の有無などを通知する。
【００１４】
一方、送信機から受信機には、色空間ＬａｂでのＪＰＥＧ符号情報の送信指定、色空間Ｌａｂでのフルカラー画像情報の送信指定、或いは色空間ｓＹＣＣでのＪＰＥＧ符号情報の送信指定を行う。いま送信機から色空間ｓＹＣＣのＪＰＥＧ符号データの送信が指定されると、受信機はメモリカード３０を装着していて、その符号データをメモリカード３０に格納する際、その符号データにＤＮＬマーカが存在すれば削除する。そして、色空間ｓＹＣＣのＪＰＥＧ符号情報を受信して、受信情報をメデイアに格納する時、ＤＮＬマーカが存在すれば削除し、さらに、そのＤＮＬマーカに含まれている情報をＪＰＥＧ符号ヘッダのＹパラメータに格納する。
【００１５】
図３乃至図６は、本発明の実施の形態に係るファクシミリ装置における処理を示すフローチャートであり、この処理を実行するプログラムはＲＯＭ２４に記憶されており、ＣＰＵ２２の制御の下に実行される。
【００１６】
まずステップＳ１で、バス２６を介して、メモリ１８の内容を初期化する。次にステップＳ２に進み、バス２６を介して、操作部２０の表示部をクリアする。そしてステップＳ３に進み、バス２６を介してＮＣＵ２のＣＭＬをオフする。次にステップＳ４に進み、このファクシミリ装置において、ファクシミリ受信が選択されたか否かを判断し、ファクシミリ受信が選択された時はステップＳ６に進み、そうでない時はステップＳ５に進み、選択或いは指示された、その他の処理を行ってステップＳ３に進む。
【００１７】
ステップＳ４でファクシミリ受信が選択された時はステップＳ６に進み、バス２６を介してＮＣＵ２のＣＭＬをオンし、ステップＳ７で、前手順として、ＤＩＳ信号のＦＩＦのビット６８，６９，Ｘを全て「１」にする。次にステップＳ８に進み、ＤＣＳ信号のＦＩＦのビットＸが「１」であるか否かを判定し、「１」（色空間ｓＹＣＣでのＪＰＥＧ送信）であればステップＳ１１（図４）に進み、色空間ｓＹＣＣでのＪＰＥＧ符号のヘッダを受信する。次にステップＳ１２に進み、メモリカード３０がセットされていて、かつ、そのファクシミリ画像を受信可能であるか否かを判断する。メモリカード３０がセットされていて受信可能であればステップＳ１３に進み、ＪＰＥＧヘッダのＹパラメータで副走査方向のライン数が通知されているか否かを判断し、通知されていない時はステップＳ２１（図５（Ａ））に進むが、通知されている時はステップＳ１４に進み、色空間ｓＹＣＣのＪＰＥＧ符号データを受信してメモリカード３０へ格納する。この場合は、副走査方向のライン数がＪＰＥＧヘッダのＹパラメータに格納されているので（ＤＮＬマーカは使用されない）、このＪＰＥＧ符号をそのままメモリカード３０にアップデートしても、その符号をＰＣで読み取って表示したり、デジタルスチルカメラで読み取って正しく表示できる、その受信したＪＰＥＧ符号を、直接メモリカード３０に格納する。
【００１８】
次にステップＳ１５に進み、１ページ分のＪＰＥＧ符号の受信が終了したか否かを判断し、終了していない時はステップＳ１４に戻って前述の処理を実行し、１ページのＪＰＥＧ符号の受信が終了するとステップＳ１６に進み、中間手順を実行する。次にステップＳ１７に進み、次ページのＪＰＥＧ符号があるか否かを判断し、次ページの符号がある時はステップＳ１１に戻って前述の処理を実行するが、次ページがない時はステップＳ１８に進み、後手順を実行してステップＳ３（図３）に進む。
【００１９】
前述のステップＳ１３で、ＪＰＥＧヘッダのＹパラメータで副走査方向のライン数が通知されていない時はステップＳ２１（図５（Ａ））に進み、色空間ｓＹＣＣのＪＰＥＧ符号データを受信してメモリ１８に格納するメモリ受信を実行する。そしてステップＳ２２に進み、１ページの受信が終了したか否かを判断し、１ページの受信が終了するとステップＳ２３に進み、ＤＮＬマーカの情報を色空間ｓＹＣＣのＪＰＥＧ符号ヘッダのＹパラメータに格納して、ＤＮＬマーカを削除して、メモリカード３０へ格納する。この場合は、送信機からＤＮＬマーカが送信されているので、このＪＰＥＧデータをそのままメモリカード３０に格納すると、そのメモリカード３０の内容をＰＣやデジタルスチルカメラで読み取って表示できない等の問題が発生する可能性がある。そこで、このＤＮＬマーカを削除し、このＤＮＬマーカの情報をＹパラメータにセットしておく。そしてステップＳ２４に進み、メモリ受信してメモリ１８に格納されている色空間ｓＹＣＣのＪＰＥＧ符号データを消去する（ここでは、積極的な消去でなく、次情報の上書きでも良い）。そしてステップＳ１６（図４）に進み、中間手順を実行する。
【００２０】
また前述のステップＳ１２で、メモリ受信ができない場合はステップＳ３１（図５（Ｂ））に進み、色空間ｓＹＣＣのＪＰＥＧ符号データを受信して復号し、プリントする。そしてステップＳ３２に進み、１ページ分のＪＰＥＧ符号の受信が終了したか否かを判断し、終了するとステップＳ１６に進むが、終了していない時はステップＳ３１に戻る。
【００２１】
またステップＳ８（図３）で、ＤＣＳ信号のビットＸが「１」でない時はステップＳ４１（図６）に進み、ＤＣＳ信号のＦＩＦのビット６８，６９が「１」であるか否かを判断する。「１」であればステップＳ４２に進み、全ページの色空間ＬａｂのＪＰＥＧフルカラー符号を受信し復号してプリントする。尚、このステップＳ４２は、中間手順も含んでいる。次にステップＳ４３に進み、後手順を実行してステップＳ３（図３）に戻る。
【００２２】
またステップＳ４１で、「１」でない時はステップＳ４４に進み、全ページのモノクロ情報を受信して復号しプリントする。尚、このステップＳ４４は、中間手順も含んでいる。そしてステップＳ４５に進み、後手順を実行してステップＳ３に進む。
【００２３】
以上説明したように本実施の形態によれば、色空間ｓＹＣＣのＪＰＥＧ符号情報を受信可能なファクシミリ装置において、色空間ｓＹＣＣのＪＰＥＧフルカラーでの原稿情報の受信時、副走査方向のライン数をＤＮＬマーカにて通知されていれば、そのＤＮＬマーカを削除してメモリカード３０に格納する。またこの時ＤＮＬマーカに含まれる受信ライン数をＪＰＥＧヘッダのＹパラメータに格納する。
【００２４】
これにより、ＰＣやデジタルカメラでは、ＤＮＬマーカをサポートしていないため、このマーカが挿入されていると、そのメモリカードを読み取れなくなる。しかし、本実施の形態の様に処理することにより、そのメモリカードをＰＣやデジタルカメラで読み取って表示することができる。
【００２５】
［他の実施の形態］
本発明の目的は前述したように、実施形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００２６】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００２７】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００２８】
【発明の効果】
以上説明したように本発明によれば、色空間ｓＹＣＣのＪＰＥＧフルカラー画像情報を受信してメモリカードに格納し、そのメモリカードを例えばＰＣやデジタルカメラで読み取って表示できるという効果がある。
【図面の簡単な説明】
【図１】本発明の実施の形態に係るファクシミリ装置の構成を示す機能ブロック図である。
【図２】本実施の形態に係るファクシミリ装置で使用されるＤＩＳ／ＤＴＣ，ＤＣＳ信号のＦＩＦ情報の具体例を示す図である。
【図３】本実施の形態に係るファクシミリ装置における制御の流れを説明するフローチャートである。
【図４】本実施の形態に係るファクシミリ装置における制御の流れを説明するフローチャートである。
【図５】本実施の形態に係るファクシミリ装置における制御の流れを説明するフローチャートである。
【図６】本実施の形態に係るファクシミリ装置における制御の流れを説明するフローチャートである。
【図１】
2004266515.tif 000003
【図２】
2004266515.tif 000004
【図３】
2004266515.tif 000005
【図４】
2004266515.tif 000006
【図５】
2004266515.tif 000007
【図６】
2004266515.tif 000008